(57)【要約】【課題】温風暖房装置において、温風吹き出し口とは別に循環流経路を設け、この経路から循環流と一緒にマイナスイオンを効率よく多量に発生させ補充することで、室内環境を高品位に保ちつつ、室内全体も暖房することを目的としたものである。【解決手段】ダクト２１の上部適所に送風機２０からの空気流を上方へ流す循環流開口２３を設けるとともに、循環流開口２３の近傍にマイナスイオン発生手段２５を配設し、かつ、マイナスイオン発生手段２５から発生したマイナスイオンが該機器から放出されるまで、該機器の電気的アース面に接触しないようにしてある。【選択図】  図１
2004211982.tif 000002
【特許請求の範囲】
【請求項１】
本体ケースと、本体ケースの背面に設けられた送風機と、燃料を燃焼させるバーナ部と、上記バーナ部を覆いバーナ部で発生した燃焼排ガスを上方へ導く燃焼筒と、上記燃焼筒を覆い燃焼排ガスと送風機からの室内空気流と混合して温風経路を形成する箱形のダクトと、上記ダクトへの空気取り入れ口を形成するベルマウスと、上記混合された温風を排出する温風吹出口とを備え、上記ダクトの上部適所に送風機からの空気流を上方へ流す循環流開口を設けるとともに、循環流開口の近傍にマイナスイオン発生手段を配設し、かつ、マイナスイオン発生手段から発生したマイナスイオンが該機器から放出されるまで、該機器の電気的アース面に接触しないようにした暖房装置。
【請求項２】
ダクトの上部に設ける循環流開口は燃焼筒上部のベルマウス近傍に位置させ、前記循環流開口はその幅を燃焼筒上部と略同等か、それ以下とした請求項１記載の温風暖房機。
【請求項３】
マイナスイオン発生手段に送風機からの空気流が直接的に接触しないように、マイナスイオン発生手段の上流側の空気流路途中に遮蔽体を配設して、マイナスイオン発生手段から発生したマイナスイオンを周囲を流れる送風機からの空気流で拡散させるようにした請求項１または２項記載の暖房装置。
【請求項４】
マイナスイオン発生手段の下流側の空気流路は、マイナスイオンを減少させないように、電気絶縁体で形成してなる請求項１〜３のいずれか１項記載の暖房装置。
【請求項５】
マイナスイオン発生手段の下流側の空気流路の表面は、マイナスイオンを減少させないように、絶縁性塗料を施すかあるいは絶縁性塗料をプレコートした塗装鋼板で形成してなる請求項１〜４のいずれか１項記載の暖房装置。
【発明の詳細な説明】
【０００１】
【発明の属する技術分野】
本発明は、室内空気と高温ガスを混合して暖房に用いる暖房装置に関するものである。
【０００２】
【従来の技術】
従来この種の温風暖房装置は図３に示すように、タンク１にカートリッジタンク２まずタンク１にカートリッジタンク２から燃料が供給され、同タンク１の燃料はポンプ３によってバーナ部４に供給され、そこで燃焼される。生じた燃焼ガスは、バーナ部４の周囲を覆うように配設された燃焼筒５で上方へ導かれ、上記燃焼筒５を覆ったダクト６でプロペラファン７と送風モータ８からなる送風機からの室内空気流と混合され、温風吹出口９からルーバ１０で制風されて温風として排出されて暖房に利用される。
【０００３】
そして、この燃焼装置はポンプ３の駆動周波数や印加電圧を変えて燃料供給量を調節すると、一次空気量もそれにつれて増減し、燃料と空気の比が一定に保たれたまま燃焼量を変えることができるようになっている。
【０００４】
また、上記温風暖房装置は室温と設定温度に応じて、ポンプ３の駆動周波数や印加電圧を変えて燃料供給量を自動調節するなど、制御器であらかじめ決められたシーケンスで所定の動作をするように制御されている。
【０００５】
以上のように従来の温風暖房装置は、暖房感を向上することに主眼がおかれ、室内環境を改善するという取り組みにおいては多少劣るものであった。
【０００６】
しかしながら、近年、健康面への関心が高まり、温風吹出口に数種類のセラミックを混合して得られた複合セラミック等、マイナスイオン発生手段を取り付け、積極的にマイナスイオンを室内に供給するようにした機器が開発されている（特許文献１参照）。
【０００７】
【特許文献１】
特開平１１−２１１２３６号公報
【０００８】
【発明が解決しようとする課題】
しかしながら、従来の温風暖房機は、温風吹出口９から排出される温風が弱かったり、該機器の前に障害物があると、温風が部屋の隅まで届かないという問題があった。特に、該機器の前方にテーブルや置物などの障害物などが位置していると、温風吹出口８から下方前方へ排出された温風が遮られて部屋の隅まで届かず、温風がショートサーキットして該機器の周囲だけで循環し、室内温度分布が不均一となり暖房感が悪くなる課題があった。
【０００９】
また、このような構成の暖房装置は、主に冬場の室内の暖房に使われるため、締め切った部屋で長時間使われて、室内環境としては、室内温度は設定した温度に保たれるものの、空質という面ではあまりよくない場合の使われ方が多く、ホコリっぽかったり、炭酸ガス等が増え、つまり、室内の空気に含まれる、喫煙成分、臭気、ホルムアルデヒド等のＶＯＣ、その他の化学物質一酸化炭素、二酸化炭素、オゾン、細菌・かび・ウイルスといった微生物の蓄積、またそして、マイナスイオンの減少などが生じるという悪環境での使われ方をなされる場面が多々想定された。
【００１０】
また、上述の従来例の暖房熱源を燃焼熱を用いたものにおいては、燃焼の炎プラズマ効果によって、多量のプラスイオンとマイナスイオンをほぼ同量発生するが、マイナスイオンは室内のホコリ等によって早く消失するので、結果的に、室内のプラスイオンとマイナスイオンのバランスが崩れ、プラスイオンとマイナスイオンのイオン比が大きくなり過ぎていまい、室内環境が悪化する心配があった。
【００１１】
また、温風吹出口にマイナスイオンを発生する物質を取り付けたものにあっては、所定量のマイナスイオンを確保しようとする場合、かなり大きな容積を必要とし温風吹出口全体にマイナスイオンを発生する物質を配設することになる。この場合、温風吹出口で風路抵抗が増大し適正な風量が確保できなくなったり、機器内の温度が異常に上昇する等の問題が発生する。
【００１２】
そこで、本発明は機器の下方へ排出する温風に加え、機器の上方へ送風機からの空気流の一部を排出して、室内全体をより均一に暖房するとともに、この循環流経路からマイナスイオンを効率よく多量に発生させ補充することで、プラスイオンとマイナスイオンのバランスを改善させ室内環境を高品位に保ちつつ、室内全体も暖房することのできる快適性の高い暖房装置の実現を目的としたものである。
【００１３】
【課題を解決するための手段】
本発明は上記課題を解決するため、本体ケースと、本体ケースの背面に設けられた送風機と、燃料を燃焼させるバーナ部と、上記バーナ部を覆いバーナ部で発生した燃焼排ガスを上方へ導く燃焼筒と、上記燃焼筒を覆い燃焼排ガスと送風機からの室内空気流を混合して温風経路を形成する箱形のダクトと、上記ダクトの空気取り入れ口を形成するベルマウスと、上記混合された温風を排出する温風吹出口とを備え、上記ダクトの上部適所に送風機からの空気流を上方へ流す循環流開口を設けるとともに、循環流開口の近傍にマイナスイオン発生手段を配設し、かつ、マイナスイオン発生手段から発生したマイナスイオンが該機器から放出されるまで、該機器の電気的アース面に接触しないように構成したものである。
【００１４】
上記発明によれば、ダクトの上部適所に送風機からの空気流を上方へ流す循環流開口を設けてあるので、送風機の室内空気流を排出する循環流開口が温風吹出口に加え、ダクトの上部適所に配設した循環流開口の排出口が増える分、その通気抵抗が減少して、送風機より供給される空気流量も増大するようになる。
【００１５】
さらに、送風機からの空気流は燃焼筒の左右と上部を流れる３つの流れを形成するので、ダクトの上部適所に設けた循環流開口から燃焼筒の上部を流れる空気流を取り出すことによって３つの流れの干渉を防止でき、温風吹出口から排出される空気流はさほど減少させずに、ダクトの上部適所に設けた循環流開口から空気流を取り出すことができるようになる。
【００１６】
また、温風吹出口の排出口から排出する空気流および上記ダクトの上部適所に配設した循環流開口から取り出される空気流は、同一の送風機を用いてあるので、構成が簡単でコンパクトに構成できるとともに、そのバランスもほぼ一定の比率を保つようになるので、その性能も安定するようになる。
【００１７】
またそして、循環流開口の近傍にマイナスイオン発生手段を配設してあるので、締め切った部屋で長時間使われても、マイナスイオンが補充され、プラスイオンとマイナスイオンのイオン比が大きくなり過ぎるのを防止でき、室内環境を高品位に保ちつつ室内全体も暖房することができるようになる。
【００１８】
また、マイナスイオン発生手段から発生したマイナスイオンが該機器から放出されるまで、該機器の電気的アース面に接触しない位置にマイナスイオン発生手段を配設してあるので、マイナスイオン発生手段から発生したマイナスイオンが該機器から放出されるまで、該機器の電気的アース面に接触して減衰するのを防止でき、該機器から効率よく多量に放出することができ、快適性の高い暖房装置を提供することができる。
【００１９】
さらに、循環流開口の近傍にマイナスイオン発生手段を配設してあるので、マイナスイオン発生手段から放出されたマイナスイオンが温風によって、部屋全体まで到達させることができるようになり、マイナスイオンの効果がより効果的に発揮させることができるようになるとともに、送風手段も該機器の温風発生用とマイナスイオン用を兼ねることができ、安価で構成も簡単にすることができる。
【００２０】
【発明の実施の形態】
請求項１記載の暖房装置は、本体ケースと、本体ケースの背面に設けられた送風機と、燃料を燃焼させるバーナ部と、上記バーナ部を覆いバーナ部で発生した燃焼排ガスを上方へ導く燃焼筒と、上記燃焼筒を覆い燃焼排ガスと送風機からの室内空気流を混合して温風経路を形成する箱形のダクトと、上記ダクトへの空気取り入れ口を形成するベルマウスと、上記混合された温風を排出する温風吹出口とを備え、上記ダクトの上部適所に送風機からの空気流を上方へ流す循環流開口を設けるとともに、循環流開口の近傍にマイナスイオン発生手段を配設し、かつ、マイナスイオン発生手段から発生したマイナスイオンが該機器から放出されるまで、該機器の電気的アース面に接触しない構成としてある。
【００２１】
そして、上記ダクトの上部適所に送風機からの空気流を上方へ流す循環流開口を設けてあるので、送風機の室内空気流を排出する循環流開口が温風吹出口に加えダクトの上部適所に配設した循環流開口の排出口が増える分、その通気抵抗が減少して、送風機の室内空気を吸い込む能力すなわち送風機で形成される室内空気流量も増大するようになる。さらに送風機からの空気流は燃焼筒の左右と上部を流れる３つの流れを形成するので、ダクトの上部適所に設けた循環流開口から燃焼筒の上部を流れる空気流を取り出すことによって３つの流れの干渉を防止でき、温風吹出口から排出される空気流はさほど減少させずに、ダクトの上部適所に設けた循環流開口から空気流を取り出すことができるようになる。
【００２２】
また、温風吹出口の排出口から排出する空気流および上記ダクトの上部適所に配設した循環流開口から取り出される空気流は、同一の送風機を用いてあるので、構成が簡単でコンパクトに構成できるとともに、そのバランスもほぼ一定の比率を保つようになるので、その性能も安定するようになる。
【００２３】
またそして、循環流開口の近傍にマイナスイオン発生手段を配設してあるので、締め切った部屋で長時間使われても、マイナスイオンが補充され、プラスイオンとマイナスイオンのイオン比が大きくなり過ぎるのを防止出来、室内環境を高品位に保ちつつ室内全体も暖房することができるようになる。
【００２４】
また、マイナスイオン発生手段から発生したマイナスイオンが該機器から放出されるまで、該機器の電気的アース面に接触しない位置にマイナスイオン発生手段を配設してあるので、マイナスイオン発生手段から発生したマイナスイオンが該機器から放出されるまで、該機器の電気的アース面に接触して減衰するのを防止出来、該機器から効率よく多量に放出することができ、快適性の高い暖房装置を提供することができる。
【００２５】
さらに、循環流開口の近傍にマイナスイオン発生手段を配設してあるので、マイナスイオン発生手段から放出されたマイナスイオンが温風によって、部屋全体まで到達させることができるようになり、マイナスイオンの効果がより効果的に発揮させることができるようになるとともに、送風手段も該機器の温風発生用とマイナスイオン用を兼ねることができ、構成も簡単にすることができ、安価とすることができる。
【００２６】
また、請求項２記載の暖房装置は、ダクトの上部に設ける循環流開口は燃焼筒の上部のベルマウス近傍に位置させ、かつ循環流開口はその幅を燃焼筒の上部と略同等か、それ以下としてある。
【００２７】
そして、上記ダクトの上部に設ける循環流開口は燃焼筒の上部のベルマウス近傍に位置させ、かつ循環流開口はその幅を燃焼筒の上部とほぼ同等以下としてあるので、ダクトの上部の循環流開口から取り出される空気流は、燃焼筒から排出される燃焼排ガスを吸引しにくくなるので、その温度も低く保てるようになり、かつ燃焼筒内の燃焼排ガスの流れを乱す等の影響もなくなる。
【００２８】
また、マイナスイオン発生手段は燃焼排ガスの混ざらない室内空気流路に位置させることができ、その雰囲気温度は低く保たれ、マイナスイオン発生手段を形成する耐熱性等を心配することなく構成出来、また燃焼排ガスに混ざる燃料未燃油分やすすなどが付着することもなく、長期にわたって性能を安定して得ることが出来るようになる。
【００２９】
また、請求項３記載の暖房装置は、マイナスイオン発生手段に送風機からの空気流が直接的に接触しないように、マイナスイオン発生手段の上流側の送風機からの空気流路途中の適所に遮蔽体を配設して、マイナスイオン発生手段から発生したマイナスイオンをマイナスイオン発生手段の周囲を流れる送風機からの空気流で拡散させる構成としてある。
【００３０】
そして、マイナスイオン発生手段の上流側の送風機からの空気流路途中の適所に遮蔽体を配設して、マイナスイオン発生手段から発生したマイナスイオンをマイナスイオン発生手段の周囲を流れる送風機からの空気流で拡散させる構成としてあるので、マイナスイオン発生手段に送風機からの空気流が直接的に接触しないようにすることができ、送風機からの空気流に混入したホコリなどの異物がマイナスイオン発生手段に堆積して、マイナスイオン量の発生を妨げたり、あるいは、ほこりからの発火・発煙を生じることを防止することができ、経年的に安定したマイナスイオン量の発生が得られると共に、安全性の高い機器を得ることができる。
【００３１】
また、請求項４記載の暖房装置は、マイナスイオン発生手段の下流側の空気流路は、マイナスイオンを減少させないように、電気絶縁体で形成した構成としてある。
【００３２】
そして、マイナスイオン発生手段の下流側の空気流路の壁面は、マイナスイオン量を減少させないように、電気絶縁体で形成してあるので、機器内部の設計的制約で、マイナスイオン発生手段の放出部が機器の奥まったところに位置しても、例えば下流側の空気流路が、該機器の電気的アース面に接続された壁で構成されても、その壁面を樹脂材料等の電気絶縁体で覆うなど、下流側の空気流路を電気絶縁体で形成することで、マイナスイオン発生手段から放出されたマイナスイオン量の減少を防止つつ、マイナスイオン発生手段の配置の設計的制約を大幅に緩和することができるようになる。
【００３３】
また、請求項５記載の暖房装置は、マイナスイオン発生手段の下流側の空気流路の表面は、マイナスイオンを減少させないように、電気絶縁性を保持させる処理例えば絶縁性塗料を施すかあるいは電気絶縁性を保持した材料例えば絶縁性塗料をプレコートした塗装鋼板で形成した構成としてある。
【００３４】
そして、マイナスイオン発生手段の下流側の空気流路の表面は、マイナスイオン量を減少させないように、電気絶縁性を保持させる処理例えば絶縁性塗料を施すかあるいは電気絶縁性を保持した材料例えば絶縁性塗料をプレコートした塗装鋼板で形成してあるので、請求項４の効果が簡単な構成で得られる。
【００３５】
つまり、機器内部の設計的制約で、マイナスイオン発生手段の下流側の空気流路が、該機器の電気的アース面に接続された壁で構成されても、その壁面を電気絶縁性を保持させる処理例えば絶縁性塗料を施すかあるいは電気絶縁性を保持した材料例えば絶縁性塗料をプレコートした塗装鋼板で形成するなど、下流側の空気流路の壁表面を電気絶縁性を持たせるようにして、マイナスイオン発生手段から放出されたマイナスイオンの減少を防止つつ、マイナスイオン発生手段の配置の設計的制約を大幅に緩和することができるようになる。
【００３６】
また、空気流路を電気絶縁体で形成する手段を、電気絶縁性を保持させる処理例えば絶縁性塗料を施すかあるいは電気絶縁性を保持した材料例えば絶縁性塗料をプレコートした塗装鋼板で形成するなど壁表面のみを電気絶縁性を持たせるようにすることで、請求項４の樹脂材料等の電気絶縁体で覆う構成の効果に加え、高耐熱性を得ることが出来、樹脂材料部分の変形や発火・発煙などの心配が無くなり、さらに、構成が簡単となり安価にすることができる。
【００３７】
【実施例】
以下、本発明の実施例について図面を用いて説明する。
【００３８】
（実施例１）
図１は本発明の実施例１の温風暖房機の断面図、図２は同温風暖房機の制御ブロック図である。
【００３９】
図１、図２において、１１は本体ケースで、その下方側部に液体燃料を保有するタンク１２とそのタンク１２上部に着脱自在なカートリッジタンク１３が配設してある。１４はタンク１２の上面に取り付けたポンプで、その上端から送油パイプ１５を介してバーナ部１６に燃料を供給するようになっている。バーナ部１６は、発生した燃焼ガスを上方へ導くように配設した前面上部に循環流開口部を有する有天状の筒形形状の燃焼筒１７で覆われ、また燃焼筒１７の背部には室内空気流を取入れ送出するプロペラファン１８と送風モータ１９からなる送風機２０が配設してある。燃焼筒１７は前面上部に循環流開口部を有する有天状の筒形形状としてある。
【００４０】
２１は上記燃焼筒１７から高温の燃焼排ガスと送風機２０からの室内空気流を混合し、温風の送風経路を形成するダクトで、ダクト２１の送風機２０からの空気流を取り入れ口はプロペラファン１８の径より若干大きめの径から徐々に大となるように広げた形状としたベルマウス２２を配設してある。
【００４１】
また、ダクト２１上部には燃焼筒１７の上部のベルマウス２２近傍に位置させ、かつその開口の幅を燃焼筒１７の上部とほぼ同等以下として設けた循環流開口２３を配設してあり、その循環流開口２３の開口は本体ケース１１の上方へ送風機２０からの室内空気流を排出する循環流吹出口２４に連結されている。
【００４２】
この循環流吹出口２４の近傍にはマイナスイオン発生手段２５が配設してあり、マイナスイオン発生手段２５の周囲を流れる空気流上流側に遮蔽体２６を配設して、マイナスイオン発生手段２５から発生したマイナスイオンをマイナスイオン発生手段２５の周囲を流れる送風機２０からの空気流で拡散させるようにしてあり、マイナスイオン発生手段２５に送風機２０からの空気流が直接的に接触しないように構成してある。
【００４３】
また循環流吹出口２４の近傍を構成する材料はその表面が電気絶縁性を有する塗装鋼板で形成して、マイナスイオン発生手段２５から発生したマイナスイオンが該機器の電気的アース面に接触しないようにしてあり、マイナスイオン量を減少させないようにしてある。
【００４４】
２７はダクト２１からの温風を排出する温風吹出口で、温風の流れを制御するルーバ２８が配設してある。
【００４５】
２９は上記ポンプ１４や送風モータ１９を制御してバ−ナ部１６を燃焼させる制御部で、操作部から入力される運転条件信号に基づいてポンプ１４やバーナ部１６、マイナスイオン発生手段２５などを予め決められたシーケンスで制御するようになっている。
【００４６】
上記構成において、カートリッジタンク１３から一定油面を保つようにタンク１２に供給されている液体燃料は、ポンプ１４によってタンク１２から吸い上げられ、送油パイプ１５を介してバ−ナ部１６に送られ燃焼され、発生した高温の燃焼排ガスは燃焼筒１７の上方へ流れてゆき、ダクト２１内で送風機２０からの室内空気流と混合され、温風として温風吹出口２９よりルーバ２８を介して吹き出し方向を制御され排出されて暖房に利用される。
【００４７】
また送風機２０からの室内空気流の一部は、ダクト２１のベルマウス２２近傍に設けた循環流開口２３を介して取り出され、該機器の上方へ排出され室内空気の循環流を形成する。
【００４８】
そして、この室内空気の循環流によって、マイナスイオン発生手段２５から放出されたマイナスイオンが部屋全体まで到達するようになっている。
【００４９】
ここで、上記ダクト２１のベルマウス２２近傍に送風機２０からの空気流を上方へ流す循環流開口２３を設けてあるので、送風機２０の室内空気流を排出する循環流吹出口２４が温風吹出口２９に加えダクト２１のベルマウス２２近傍に配設した循環流開口２３の循環流開口面積が増える分、その通気抵抗が減少して、送風機２０の室内空気を吸い込む能力すなわち送風機２０で形成される室内空気流量も増大するようになる。
【００５０】
さらに詳しく説明すると、プロペラファン１８の回転によって生じる送風機２０からの空気流は、その回転の遠心力によって、回転方向に沿って生じる流れを多量に生じ、そこでダクト２１のベルマウス２２近傍に配設した循環流開口２３を設けると、ダクト２１内壁に衝突して前方方向へ流れを変えられる前の空気流がその力を弱められずに取り出されるようになる。
【００５１】
また、ダクト２１内を流れる空気流は燃焼筒１７によって遮られるので、プロペラファン１８の回転方向の上流側にある燃焼筒１７の側部を下から上へ流れる流れと、燃焼筒１７上部を前方へ回転方向で斜めに流れる流れと、プロペラファン１８の回転方向の下流側にある燃焼筒１７の側部を上から下へ流れる流れと、３つの流れを形成するようになる。
【００５２】
この燃焼筒１７の左右と上部を流れる３つの流れが燃焼筒１７を乗り越えて温風吹出口２９に至る過程で衝突して干渉するようになるが、ダクト２１のベルマウス２２近傍に設けた循環流開口２３から燃焼筒１７の上部を流れを取り出すことによって３つの流れの干渉を防止でき、温風吹出口２９から排出される空気流はさほど減少させずに、ダクト２１のベルマウス２２近傍に設けた循環流開口２３から空気流を取り出すことができるようになる。
【００５３】
さらに、ダクト２１の上部に設ける循環流開口２３は燃焼筒１７の上部のベルマウス２２近傍に位置させ、かつ開口はその幅を燃焼筒１７の上部とほぼ同等以下としてあるので、ダクト２１の上部の循環流開口２３から取り出される空気流は、燃焼筒１７から排出される燃焼排ガスを吸引しにくくなるので、その温度も低く保てるようになり、かつ燃焼筒１７内の燃焼排ガスの流れを乱す等の影響もなくなる。
【００５４】
さらにまた、ダクト２１のベルマウス２２近傍に設けた循環流開口２３を介して送風機２０からの空気流を本体ケース１１の上方へ流す循環流吹出口２４を設けてあるので、温風吹出口２９より排出される温風に加え、上述の循環流吹出口２４より送風機２０からの空気流を本体ケース１１の上方へ流す循環流が増すので、その分、部屋の空気は混ざり合うようになる。つまり、温風吹出口２９から排出される高温の温風は該機器の下方前方へ、また循環流吹出口２４から排出される温風より温度の低い循環流は該機器の上方前方へ流れ、下方から上方への温風の流れと、上方から下方への循環流の流れができ、その２通りの流れで部屋の空気は混ざり合い、部屋の温度の均一性が増すようになり、暖房感が向上する。
【００５５】
そして、該機器の前方にテーブルや置物などの障害物などが位置していても、温風吹出口２９から排出される温風が遮られても機器上部に設けた循環流吹出口２９より排出される循環流が上記障害物を飛び越えて部屋の空気の循環流が流れ、部屋の空気全体の混合がよくなる。
【００５６】
また、循環流も機器の上方に排出するようにしてあるので該機器の上方に気流感があるだけで、機器の前方つまり使用者の居住空間には気流感がなく、気流による不快感を使用者が感じることがなくなり暖房感が向上する。
【００５７】
さらに、温風吹出口２９および機器本体の上部に配設した循環流吹出口２４から排出する空気流は、同一の送風機２０を用いてあるので、構成が簡単でコンパクトに構成できるとともに、そのバランスもほぼ一定の比率を保つようになるので、その性能も安定するようになる。
【００５８】
そして、この循環流吹出口２４の近傍にマイナスイオン発生手段２５を配設してあるので、締め切った部屋で長時間使われても、マイナスイオンが補充され、プラスイオンとマイナスイオンのイオン比が大きくなり過ぎるのを防止出来、室内環境を高品位に保ちつつ室内全体も暖房することができるようになる。
【００５９】
また、マイナスイオン発生手段２５から発生したマイナスイオンが該機器から放出されるまで、該機器の電気的アース面に接触しない位置にマイナスイオン発生手段２５を配設してあるので、マイナスイオン発生手段２５から発生したマイナスイオンが該機器から放出されるまで、該機器の電気的アース面に接触して減衰するのを防止出来、該機器から効率よく多量に放出することができ、快適性の高い暖房装置を提供することができる。
【００６０】
さらに、循環流吹出口２４の近傍にマイナスイオン発生手段２５を配設してあるので、マイナスイオン発生手段２５から放出されたマイナスイオンが循環流によって、部屋全体まで到達させることができるようになり、マイナスイオンの効果がより効果的に発揮させることができるようになるとともに、送風手段も該機器の温風発生用とマイナスイオン用を兼ねることができ、安価で構成も簡単にすることができる。
【００６１】
またそして、マイナスイオン発生手段２５は、循環流吹出口２４の近傍に配設した構成としてあるので、マイナスイオン発生手段２５は燃焼排ガスの混ざらない室内空気流路に位置させることができ、その雰囲気温度は低く保たれ、マイナスイオン発生手段２５を形成する耐熱性等を心配することなく構成出来、また燃焼排ガスに混ざる燃料未燃油分やすすなどが付着することもなく、長期にわたって性能を安定して得ることができるようになる。
【００６２】
さらに、マイナスイオン発生手段２５の上流側の送風機２０からの空気流路途中の適所に遮蔽体２６を配設して、マイナスイオン発生手段２５から発生したマイナスイオンをマイナスイオン発生手段２５の周囲を流れる送風機２０からの空気流で拡散させる構成としてあるので、マイナスイオン発生手段２５に送風機２０からの空気流が直接的に接触しないようにすることができ、送風機２０からの空気流に混入したホコリなどの異物がマイナスイオン発生手段２５に堆積して、マイナスイオン量の発生を妨げたり、あるいは、ほこりからの発火・発煙を生じることを防止することが出来、経年的に安定したマイナスイオン量の発生が得られると共に、安全性の高い機器を得ることができる。
【００６３】
そして、循環流吹出口２４の近傍を構成する材料はその表面が電気絶縁性を有する塗装鋼板で形成してあるので、マイナスイオン発生手段２５の下流側の空気流路の壁表面を電気絶縁性を有し、マイナスイオン発生手段２５から発生したマイナスイオンが該機器の電気的アース面に接触しないようになり、マイナスイオン発生手段２５から放出されたマイナスイオンの減少を防止つつ、マイナスイオン発生手段２５の配置の設計的制約を大幅に緩和することができるようになる。
【００６４】
また、空気流路を電気絶縁体で形成する手段を、電気絶縁性を保持させる処理すなわち電気絶縁性を有する塗装鋼板で形成してあるので、機器内部の設計的制約で、マイナスイオン発生手段の放出部が機器の奥まったところに位置しても、下流側の空気流路を電気絶縁体で形成することで、マイナスイオン発生手段から放出されたマイナスイオン量の減少を防止つつ、マイナスイオン発生手段の配置の設計的制約を大幅に緩和することができるようになる。
【００６５】
さらに、電気絶縁体で形成する構成を樹脂材料等の電気絶縁体で覆う構成ではなく、電気絶縁性を保持させる処理すなわち電気絶縁性を有する塗装鋼板で形成してあるので、樹脂材料等の電気絶縁体で覆う構成に比し、高耐熱性を得ることが出来、樹脂材料部分の変形や発火・発煙などの心配が無くなり、さらに、構成が簡単となり安価にすることができる。
【００６６】
なお上記実施例では、循環流吹出口２４の近傍を構成する材料は電気絶縁性を有する塗装鋼板で形成したが、これは、マイナスイオン発生手段２５の下流側の空気流路の壁面を樹脂材料等の電気絶縁体で覆う構成でもよく、また電気絶縁性を保持させる処理例えば電気絶縁性を有する塗装を施してもよく、あるいは、電気絶縁性を有する塗装鋼板で覆ってもよく、その他各部の構成も本発明の目的を達成する範囲であればその構成はどのようなものであってもよい。
【００６７】
【発明の効果】
以上説明したように本発明によれば、ダクトの上部適所に送風機からの空気流を上方へ流す循環流開口を設けてあるので、送風機の室内空気流を排出する循環流開口が温風吹出口に加えダクトの上部適所に配設した循環流開口の排出口が増える分、その通気抵抗が減少して、送風機より供給される室内空気流量も増大するようになる。
【００６８】
さらに、送風機からの空気流は燃焼筒の左右と上部を流れる３つの流れを形成するので、ダクトの上部適所に設けた循環流開口から燃焼筒の上部を流れる空気流を取り出すことによって３つの流れの干渉を防止でき、温風吹出口から排出される空気流はさほど減少させずに、ダクトの上部適所に設けた循環流開口から空気流を取り出すことができるようになる。
【００６９】
また、温風吹出口の排出口から排出する空気流および上記ダクトの上部適所に配設した循環流開口から取り出される空気流は、同一の送風機を用いてあるので、構成が簡単でコンパクトに構成できるとともに、そのバランスもほぼ一定の比率を保つようになるので、その性能も安定するようになる。
【００７０】
またそして、循環流開口の近傍にマイナスイオン発生手段を配設してあるので、締め切った部屋で長時間使われても、マイナスイオンが補充され、プラスイオンとマイナスイオンのイオン比が大きくなり過ぎるのを防止でき、室内環境を高品位に保ちつつ室内全体も暖房することができるようになる。
【００７１】
また、マイナスイオン発生手段から発生したマイナスイオンが該機器から放出されるまで、該機器の電気的アース面に接触しない位置にマイナスイオン発生手段を配設してあるので、マイナスイオン発生手段から発生したマイナスイオンが該機器から放出されるまで、該機器の電気的アース面に接触して減衰するのを防止出来、該機器から効率よく多量に放出することができ、快適性の高い暖房装置を提供することができる。
【００７２】
さらに、循環流開口の近傍にマイナスイオン発生手段を配設してあるので、マイナスイオン発生手段から放出されたマイナスイオンが温風によって、部屋全体まで到達させることができるようになり、マイナスイオンの効果がより効果的に発揮させることができるようになる。
【図面の簡単な説明】
【図１】本発明の実施例１における温風暖房機の断面図
【図２】同暖房装置の制御ブロック図
【図３】従来の暖房装置の断面図
【符号の説明】
１１  本体ケース
１６  バーナ部
１７  燃焼筒
２０  送風機
２１  ダクト
２２  ベルマウス
２３  循環流開口
２５  マイナスイオン発生手段
２６  遮蔽体
２７  温風吹出口
【図１】
2004211982.tif 000003
【図２】
2004211982.tif 000004
【図３】
2004211982.tif 000005